【手続補正書】
【提出日】平成17年1月24日(2005.1.24)
【手続補正１】
【補正対象書類名】明細書
【補正対象項目名】特許請求の範囲
【補正方法】変更
【補正の内容】
【特許請求の範囲】
【請求項１】
入力画像信号に対してブロック単位で直交変換を施し、得られた直交変換係数を量子化及び可逆符号化して画像圧縮情報を生成する画像情報符号化装置において、
上記入力画像信号が飛び越し走査画像である場合に、上記可逆符号化に先立ち、量子化パラメータの値、輝度信号であるか色差信号であるかの情報、及びイントラマクロブロックであるかインターマクロブロックであるかの情報に基づいて垂直方向優先のシングルスキャン方式又はダブルスキャン方式を選択して、２次元配列である上記直交変換係数を１次元配列に並べ替えるスキャン手段を備えること
を特徴とする画像情報符号化装置。
【請求項２】
上記スキャン手段は、輝度信号であり且つ量子化パラメータの値が２４未満である場合以外には上記シングルスキャン方式を用い、その他の信号に関しては上記ダブルスキャン方式を用いることを特徴とする請求項１記載の画像情報符号化装置。
【請求項３】
上記画像圧縮情報のスライスヘッダ内のｓｉｎｇｌｅ＿ｓｃａｎフィールド及びｄｏｕｂｌｅ＿ｓｃａｎフィールドにおいて、当該スライスのスキャン方式の情報として、上記シングルスキャン方式又は上記ダブルスキャン方式が独立に指定されることを特徴とする請求項１記載の画像情報符号化装置。
【請求項４】
上記ｓｉｎｇｌｅ＿ｓｃａｎフィールド及び上記ｄｏｕｂｌｅ＿ｓｃａｎフィールドにおいて、Ｃｏｄｅ＿Ｎｕｍｂｅｒの値０がジグザグスキャン方式に対応し、Ｃｏｄｅ＿Ｎｕｍｂｅｒの値１が垂直方向優先のオルタネートスキャン方式に対応することを特徴とする請求項３記載の画像情報符号化装置。
【請求項５】
上記スキャン方式の情報は、ＵＶＬＣ（Universal Variable Length Coding）により符号化されて、上記ｓｉｎｇｌｅ＿ｓｃａｎフィールド及び上記ｄｏｕｂｌｅ＿ｓｃａｎフィールドに格納されることを特徴とする請求項３記載の画像情報符号化装置。
【請求項６】
上記スキャン方式の情報は、ＦＬＣ（Fixed Length Coding）により符号化されて、上記ｓｉｎｇｌｅ＿ｓｃａｎフィールド及び上記ｄｏｕｂｌｅ＿ｓｃａｎフィールドに格納されることを特徴とする請求項３記載の画像情報符号化装置。
【請求項７】
入力画像信号に対してブロック単位で直交変換を施し、得られた直交変換係数を量子化及び可逆符号化して画像圧縮情報を生成する画像情報符号化方法において、
上記入力画像信号が飛び越し走査画像である場合に、上記可逆符号化に先立ち、量子化パラメータの値、輝度信号であるか色差信号であるかの情報、及びイントラマクロブロックであるかインターマクロブロックであるかの情報に基づいて垂直方向優先のシングルスキャン方式又はダブルスキャン方式を選択して、２次元配列である上記直交変換係数を１次元配列に並べ替えるスキャン工程を有すること
を特徴とする画像情報符号化方法。
【請求項８】
入力画像信号に対してブロック単位で直交変換を施し、得られた直交変換係数を量子化及び可逆符号化して画像圧縮情報を生成する処理をコンピュータに実行させるプログラムにおいて、
上記入力画像信号が飛び越し走査画像である場合に、上記可逆符号化に先立ち、量子化パラメータの値、輝度信号であるか色差信号であるかの情報、及びイントラマクロブロックであるかインターマクロブロックであるかの情報に基づいて垂直方向優先のシングルスキャン方式又はダブルスキャン方式を選択して、２次元配列である上記直交変換係数を１次元配列に並べ替えるスキャン工程を有すること
を特徴とするプログラム。
【請求項９】
画像情報符号化装置において生成された画像圧縮情報に可逆復号及び逆量子化を施し、得られた１次元配列の直交変換係数を２次元配列のブロック単位で逆直交変換して画像信号に復号する画像情報復号装置において、
上記画像圧縮情報が飛び越し走査画像である場合に、上記可逆復号後に、垂直方向優先のシングルスキャン方式又はダブルスキャン方式により上記１次元配列である上記直交変換係数を上記２次元配列に並べ替える逆スキャン手段を備えること
を特徴とする画像情報復号装置。
【請求項１０】
上記画像圧縮情報のスライスヘッダ内のｓｉｎｇｌｅ＿ｓｃａｎフィールド及びｄｏｕｂｌｅ＿ｓｃａｎフィールドにおいて、当該スライスのスキャン方式の情報として、上記シングルスキャン方式又は上記ダブルスキャン方式が独立に指定されており、
上記逆スキャン手段は、上記スキャン方式の情報に基づいて、上記１次元配列である上記直交変換係数を上記２次元配列に並べ替えること
を特徴とする請求項９記載の画像情報復号装置。
【請求項１１】
上記スキャン方式の情報において、上記ｓｉｎｇｌｅ＿ｓｃａｎフィールド及び上記ｄｏｕｂｌｅ＿ｓｃａｎフィールドのそれぞれについて、Ｃｏｄｅ＿Ｎｕｍｂｅｒの値０がジグザグスキャン方式に対応し、Ｃｏｄｅ＿Ｎｕｍｂｅｒの値１が垂直方向優先のオルタネートスキャン方式に対応することを特徴とする請求項１０記載の画像情報復号装置。
【請求項１２】
上記逆スキャン手段は、上記スライスヘッダ内に上記ｓｉｎｇｌｅ＿ｓｃａｎフィールド又は上記ｄｏｕｂｌｅ＿ｓｃａｎフィールドが存在しない場合には、直前のスライスで用いられたスキャン方式を用いることを特徴とする請求項１１記載の画像情報復号装置。
【請求項１３】
上記逆スキャン手段は、シーケンス最初の上記スライスヘッダ内に上記ｓｉｎｇｌｅ＿ｓｃａｎフィールド又は上記ｄｏｕｂｌｅ＿ｓｃａｎフィールドが存在しない場合には、上記ジグザグスキャン方式を用いることを特徴とする請求項１１記載の画像情報復号装置。
【請求項１４】
画像情報符号化装置において生成された画像圧縮情報に可逆復号及び逆量子化を施し、得られた１次元配列の直交変換係数を２次元配列のブロック単位で逆直交変換して画像信号に復号する画像情報復号方法において、
上記画像圧縮情報が飛び越し走査画像である場合に、上記可逆復号後に、垂直方向優先のシングルスキャン方式又はダブルスキャン方式により上記１次元配列である上記直交変換係数を上記２次元配列に並べ替える逆スキャン工程を有すること
を特徴とする画像情報復号方法。
【請求項１５】
画像情報符号化装置において生成された画像圧縮情報に可逆復号及び逆量子化を施し、得られた１次元配列の直交変換係数を２次元配列のブロック単位で逆直交変換して画像信号に復号する処理をコンピュータに実行させるプログラムにおいて、
上記画像圧縮情報が飛び越し走査画像である場合に、上記可逆復号後に、垂直方向優先のシングルスキャン方式又はダブルスキャン方式により上記１次元配列である上記直交変換係数を上記２次元配列に並べ替える逆スキャン工程を有すること
を特徴とするプログラム。
【手続補正２】
【補正対象書類名】明細書
【補正対象項目名】００２２
【補正方法】変更
【補正の内容】
【００２２】
【課題を解決するための手段】
上述した目的を達成するために、本発明に係る画像情報符号化装置、画像情報符号化方法及びプログラムは、入力画像信号に対してブロック単位で直交変換を施し、得られた直交変換係数を量子化及び可逆符号化して画像圧縮情報を生成する際に、上記入力画像信号が飛び越し走査画像である場合に、上記可逆符号化に先立ち、量子化パラメータの値、輝度信号であるか色差信号であるかの情報、及びイントラマクロブロックであるかインターマクロブロックであるかの情報に基づいて垂直方向優先のシングルスキャン方式又はダブルスキャン方式を選択して、２次元配列である上記直交変換係数を１次元配列に並べ替える。
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】変更
【補正の内容】
【００２６】
また、上述した目的を達成するために、本発明に係る画像情報復号装置、画像情報復号方法及びプログラムは、画像情報符号化装置において生成された画像圧縮情報に可逆復号及び逆量子化を施し、得られた１次元配列の直交変換係数を２次元配列のブロック単位で逆直交変換して画像信号に復号する際に、上記画像圧縮情報が飛び越し走査画像である場合に、上記可逆復号後に、垂直方向優先のシングルスキャン方式又はダブルスキャン方式により上記１次元配列である上記直交変換係数を上記２次元配列に並べ替える。
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００６０
【補正方法】変更
【補正の内容】
【００６０】
【発明の効果】
以上詳細に説明したように本発明に係る画像情報符号化装置、画像情報符号化方法及びプログラムは、入力画像信号に対してブロック単位で直交変換を施し、得られた直交変換係数を量子化及び可逆符号化して画像圧縮情報を生成する際に、上記入力画像信号が飛び越し走査画像である場合に、上記可逆符号化に先立ち、量子化パラメータの値、輝度信号であるか色差信号であるかの情報、及びイントラマクロブロックであるかインターマクロブロックであるかの情報に基づいて垂直方向優先のシングルスキャン方式又はダブルスキャン方式を選択して、２次元配列である上記直交変換係数を１次元配列に並べ替える。
【手続補正９】
【補正対象書類名】明細書
【補正対象項目名】００６２
【補正方法】削除
【補正の内容】
【手続補正１０】
【補正対象書類名】明細書
【補正対象項目名】００６３
【補正方法】削除
【補正の内容】
【手続補正１１】
【補正対象書類名】明細書
【補正対象項目名】００６５
【補正方法】変更
【補正の内容】
【００６５】
また、本発明に係る画像情報復号装置、画像情報復号方法及びプログラムは、画像情報符号化装置において生成された画像圧縮情報に可逆復号及び逆量子化を施し、得られた１次元配列の直交変換係数を２次元配列のブロック単位で逆直交変換して画像信号に復号する際に、上記画像圧縮情報が飛び越し走査画像である場合に、上記可逆復号後に、垂直方向優先のシングルスキャン方式又はダブルスキャン方式により上記１次元配列である上記直交変換係数を上記２次元配列に並べ替える。
【手続補正１２】
【補正対象書類名】明細書
【補正対象項目名】００６６
【補正方法】削除
【補正の内容】
【手続補正１３】
【補正対象書類名】明細書
【補正対象項目名】００６７
【補正方法】削除
【補正の内容】